(57)【要約】【課題】帯電部での電力発生を低減し、消費電力に伴う電気代を少なくできる電気集塵装置を提供することを目的とする。【解決手段】電気集塵装置３の集塵ユニット１１は、複数の帯電部荷電極板１５と複数の帯電部接地極板１４を、帯電部荷電極板１５と帯電部接地極板１４の各極板間には導電性繊維で構成した導電性繊維部２０を有するように交互に平行に配置し、一方の極板の風上端部が、隣接する他方の極板の風上端部よりも風下側にずれ、かつ他方の極板の風下端部よりも風上側に位置した帯電部１２によって、グラディエント力により、一方の極板の風上端部に多くの粉塵が堆積し、堆積した粉塵が飛散時に堆積していた一方の極板と同じ極性に誘導帯電により帯電して、他方の極板の導電性繊維に導かれて接触することができる。【選択図】図６
2018051507.tif 000002
【特許請求の範囲】
【請求項１】
粉塵を含んだ気体の流入部と流出部間において複数の荷電極板と複数の接地極板を交互に平行に配置し、前記荷電極板に高電圧を印加する帯電部を備えた電気集塵装置であって、向かい合う前記極板面のすくなくとも一方に導電性繊維を設け、
前記荷電極板または前記接地極板どちらか一方の前記極板の風上端部が、隣接する他方の前記極板の風上端部よりも風下側、かつ隣接する他方の前記極板の風下端部よりも風上側に位置したことを特徴とする電気集塵装置。
【請求項２】
一方の前記極板の風下端部は、隣接する他方の前記極板の風下端部よりも風上側または風下側に位置していることを特徴とする請求項１に示す電気集塵装置。
【請求項３】
前記荷電極板に高電圧を印加しても前記導電性繊維の端部より放電が発生しないことを特徴とする請求項１または２記載の電気集塵装置。
【請求項４】
前記帯電部の下流側に、集塵部接地極板と集塵部荷電極板を交互に平行に配置した集塵部を設けた請求項１から３いずれかひとつに記載の電気集塵装置。
【発明の詳細な説明】
【技術分野】
【０００１】
本発明は、空気中の浮遊粒子を帯電させて静電気力で捕集する電気集塵装置に関するものである。
【背景技術】
【０００２】
従来、この種の電気集塵装置は、帯電部の放電極板に直流高電圧を印加し、正コロナまたは負コロナを発生させ、帯電部を通過する粉塵に正または負の電荷をもたせて帯電する。この帯電した粉塵を、直流高電圧が印加された荷電極板と、接地に繋がれた接地極板を有する集塵部の高電界により、静電気力で接地極板面上に捕集する技術が広く一般的に知られている。（例えば、特許文献１参照）。
【０００３】
以下、その電気集塵原理について図１４を参照しながら説明する。
【０００４】
図１４は特許文献１に記載の電気集塵装置の集塵ユニットの電極板配置を模式的に表している。図１４に示すように、電気集塵装置は帯電部１０４と集塵部１０５により構成される。通風方向は、帯電部１０４から、集塵部１０５への向き（図１４における左から右）である。帯電部１０４と集塵部１０５にはそれぞれ＋１１ｋＶと＋８．３ｋＶの直流高電圧が直流高圧電源１０９から供給されている。帯電部１０４は、突起状の放電極板１０４Ａと接地極板１０４Ｂにより構成される。放電極板１０４Ａに＋１１ｋＶの直流高圧が印加され、放電極板１０４Ａと接地極板１０４Ｂの間の空間に正コロナ放電が発生する。この正コロナにより発生した正イオンが、空間中の粉塵（図示されず）に正の電荷を与え、粉塵は正に帯電される。帯電した粉塵は後段の集塵部１０５における、荷電極板１０５Ａと接地極板１０５Ｂ間で形成される強電界により、静電気力で接地極板１０５Ｂ上に捕集される（集塵原理）。
【０００５】
このようなコロナ放電を用いた一般的なトンネル換気設備向け電気集塵装置は、風量あたりの消費電力が１１０Ｗ／（ｍ３／ｓ）程度であり、少なからず電力を消費する。
【先行技術文献】
【特許文献】
【０００６】
【特許文献１】特開平９−２２５３４０号公報
【発明の概要】
【発明が解決しようとする課題】
【０００７】
このような電気集塵装置の帯電部１０４においては、コロナ放電による電力消費が発生するため、消費電力に伴う電気代が嵩むという課題があった。
【０００８】
そこで、出願人は、図１５に示すように、粉塵を含んだ気体の流入部と流出部間において複数の荷電極板と複数の接地極板を交互に平行に配置し、荷電極板の片面または接地極板の片面に導電性繊維を備え、導電性繊維は荷電極板と接地極板との各極板間に設けられ、荷電極板に高電圧を印加した帯電部を備えた電気集塵機を考案した（参考文献として、未公開の特願２０１５−１８３９６１）。この電気集塵機はグラディエント力により導電性繊維に粉塵を堆積させ、堆積した粉塵が飛散時に堆積していた導電性繊維と同じ極性に誘導帯電により帯電し、この飛散した帯電粉塵を異なる極性の対向する接地極板または荷電極板で集塵するものである。
【０００９】
しかし、図１５に示すような構成では、粒子の帯電は導電性繊維との接触確率に依存さ
れ、高い集じん性能を得るためには帯電部電極板の面積を増大し、粉塵と導電繊維の接触確率を高めるか、コロナ放電による電力消費を増やす必要があり、帯電部の大型化または消費電力に伴う電気代が嵩むという課題がある。
【００１０】
そこで本発明は、コロナ放電を発生させず、もしくは微小なコロナ放電を発生させて、より多くの粉塵を帯電させることにより、帯電部の小型化または消費電力に伴う電気代が少ない電気集塵装置を提供することを目的とする。
【課題を解決するための手段】
【００１１】
そして、この目的を達成するために、本発明に係る電気集塵装置は、
粉塵を含んだ気体の流入部と流出部間において複数の荷電極板と複数の接地極板を交互に平行に配置し、前記荷電極板に高電圧を印加する帯電部を備え、
向かい合う前記極板面のすくなくとも一方に導電性繊維を設け、前記荷電極板または前記接地極板どちらか一方の前記極板の風上端部が、隣接する他方の前記極板の風上端部よりも風下側、かつ隣接する他方の前記極板の風下端部よりも風上側に位置したものであり、これにより所期の目的を達成するものである。
【発明の効果】
【００１２】
本発明によれば、粉塵を含んだ気体の流入部と流出部間において複数の荷電極板と複数の接地極板を交互に平行に配置し、前記荷電極板に高電圧を印加する帯電部を備え、向かい合う前記極板面のすくなくとも一方に導電性繊維を設け、前記荷電極板または前記接地極板どちらか一方の前記極板の風上端部が、隣接する他方の前記極板の風上端部よりも風下側、かつ隣接する他方の前記極板の風下端部よりも風上側に位置したものであり、このような構成によって、グラディエント力により、一方の極板の風上端部に多くの粉塵が堆積し、堆積した粉塵が飛散時に堆積していた一方の極板と同じ極性に誘導帯電により帯電して、他方の極板の導電性繊維に導かれて接触することができるものである。また、一方の極板の風上端部で帯電し、他方の極板の導電性繊維に接触した粉塵が飛散する場合は、一旦電荷を持った粉塵が分極し誘導帯電により帯電するため、より電荷量の多い帯電粉塵として飛散する。
【００１３】
その結果、このような電気集塵装置は、グラディエント力により一方の極板の風上端部に多くの粉塵を堆積させ、さらに前記導電性繊維にも粉塵を堆積させることができる。その堆積した粉塵は、飛散時に堆積していた極板と同じ極性に誘導帯電により帯電し、この飛散した帯電粉塵を異なる極性の対向する極板で集塵することができる。従って、帯電部の小型化および消費電力に伴う電気代が少なくできるという効果を得ることができる。
【図面の簡単な説明】
【００１４】
【図１】本発明の実施の形態１のトンネル換気設備を設置したトンネルの内部透視した斜視図
【図２】同トンネルのＡ−Ａ断面図
【図３】同トンネルのＢ−Ｂ断面図
【図４】同トンネル換気設備の上面の内部透視図
【図５】同電気集塵装置の構成図
【図６】同電気集塵装置の極板配置を表す概念図
【図７】同電気集塵装置の帯電部の電界領域を表す概念図
【図８】同電気集塵装置の帯電部の粉塵の堆積と再飛散時の誘導帯電を表す概念図
【図９】同電気集塵装置の第１変形例を表す概念図
【図１０】同電気集塵装置の第２変形例を表す概念図
【図１１】同電気集塵装置の第３変形例を表す概念図
【図１２】同電気集塵装置の帯電部の構成を表す組立て斜視図
【図１３】同電気集塵装置の構成を表す組立て斜視図
【図１４】従来の電気集塵装置の帯電部と集塵部の構成図
【図１５】電気集塵装置の帯電部と集塵部の構成図
【発明を実施するための形態】
【００１５】
以下、本発明の実施の形態について図面を参照しながら説明する。
【００１６】
（実施の形態１）
まず、本発明の電気集塵装置の設置の一例として、トンネル換気設備に使用される構成を図１〜図４を用いて説明する。
【００１７】
図１〜図４に示すように、本実施の形態の電気集塵装置３は、トンネル本線１の上部で、換気吸込口２から換気吐出口６に至る換気風路４内に設置され、換気風路４の下流側に換気ファン５が設置されている。本実施形態では、換気風路４は３系統あり、図４に示すように、換気吸込口２、電気集塵装置３、換気風路４、換気ファン５で１系統を構成し、共通の換気吐出口６は３系統をまとめた吐出口となっている。
【００１８】
電気集塵装置３の側方には、電気集塵補機７と、電気集塵装置３と電気集塵補機７を作動させる高圧発生盤８と制御盤９が設置されている。
【００１９】
電気集塵装置３は、図５に示すように、ケーシング１０内に、帯電部１２と集塵部１３からなる集塵ユニット１１、その風上側にダンパ３１、風下側の上部に洗浄配管３２、下部に配線端子箱３３を備えている。図２に示したように、集塵ユニット１１はケーシング１０内に複数設けられている。
【００２０】
ダンパ３１は、極板を水洗浄する際に閉じ、機外への水飛散を防止する機能があり、洗浄配管３２は、極板や碍子を洗浄するための機内配管で、その材質はステンレスまたは樹脂で構成している。
【００２１】
配線端子箱３３は高圧発生盤８からの配線を一旦端子受けする箱で、この箱の端子から帯電部１２と集塵部１３へ配線し高電圧を印加することができる。
【００２２】
次に、本実施形態の特徴である、集塵ユニット１１の帯電部１２の構成について説明する。
【００２３】
図６に示すように、集塵ユニット１１は、帯電部１２、集塵部１３、帯電部荷電極板１５を荷電する帯電部高圧電源１８、集塵部荷電極板１７を荷電する集塵部高圧電源１９で構成される。帯電部１２は、接地極板としての帯電部接地極板１４と荷電極板としての帯電部荷電極板１５を平行に配置したものである。集塵部１３は、集塵部接地極板１６と集塵部荷電極板１７を平行に配置したものである。風上側に帯電部１２、風下側に集塵部１３が配置されている。
【００２４】
本実施の形態において、帯電部１２は、帯電部荷電極板１５の片面および帯電部接地極板１４の片面に導電性繊維部２０を備えている。この導電性繊維部２０は、帯電部接地極板１４と帯電部荷電極板１５との各極板間に配置される。すなわち、導電性繊維部２０は、隣接する極板面のすくなくとも一方に設けられている。言い換えれば、向かい合った帯電部荷電極板１５と帯電部接地極板１４のどちらか一方の面には導電性繊維部２０が備えられている。
【００２５】
また、帯電部荷電極板１５の風上端部が、隣接する帯電部接地極板１４の風上端部より
も風下側にずれ、かつ帯電部接地極板１４の風下端部よりも風上側に位置している。
【００２６】
帯電部１２、集塵部１３の極板材質は、例えばＳＵＳ３０４で、板厚は０．４〜０．６ｍｍ程度であり、材質的には導電体であれば使用可能である。
【００２７】
前述したように、帯電部接地極板１４と帯電部荷電極板１５は片側に多数の導電性繊維を植毛した導電性繊維部２０が設けられている。そして、向かい合う帯電部接地極板１４と帯電部荷電極板１５のいずれか一方は導電性繊維部２０を有するように配置されている。導電性繊維部２０は、例えば線径５〜１０μｍ程度、長さ０．１〜３ｍｍ程度の多数の活性炭素繊維で構成され、導電性接着剤を用いて帯電部接地極板１４および帯電部荷電極板１５に接着している。
【００２８】
なお、帯電部接地極板１４と帯電部荷電極板１５との極板間隔Ｄ１に対する、導電性繊維部２０の長さの比率は０．０１〜０．３が好ましい。前記比率が０．０１以上、すなわち本実施形態において導電性繊維部２０の長さが０．１ｍｍ以上であれば、導電性繊維部２０端部に発生するグラディエント力が強くなり、集塵率を高くすることができる。また、前記比率が０．３以下、すなわち本実施形態において導電性繊維部２０の長さが３ｍｍ以下であれば、帯電部接地極板１４と帯電部荷電極板坂１５間でスパーク（局部短絡）が発生する頻度が低くなるため、集塵率を高くすることができる。
【００２９】
また、導電性繊維部２０は炭素繊維が好ましい。この構成によれば、導電性を有しつつ金属等と比較して比重が軽いため、装置を軽量化できる。
【００３０】
植毛は静電気力を利用して行う。植毛の方法は、まず、導電性接着剤を塗布した帯電部接地極板１４および帯電部荷電極板１５を２０〜３０ｍｍ程度の間隔で対向配置し、帯電部荷電極板１５にＤＣ−５ｋＶ程度の高電圧を印加する。この状態で多数の導電性繊維を含む空気を導入すると、誘電分極により導電性繊維の片端が導電性接着剤を塗布した帯電部接地極板１４および帯電部荷電極板１５上に固定されるのである。
【００３１】
なお、本実施形態では導電性繊維を植毛したが、植毛以外の方法でも良い。例えば導電性繊維部２０を不織布状に加工したものを接着固定しても良い。また、植毛した導電性繊維部２０のそれぞれの繊維は、一方の端部が極板面に接着され、他方の端部が極板面から離れた状態、すなわち、導電性繊維部２０の繊維は立った状態になっている。導電性繊維部２０の繊維は、極板面に対して直立（垂直に立った状態）でもよいし、極板面に対して斜めに立った状態でも良い。
【００３２】
また、本実施形態では導電性繊維部２０を表面に微細孔のある活性炭素繊維で構成したが、導電性を有する繊維状のものであれば活性炭素繊維でなくても良い。例えば炭素などの導電物を混合した樹脂繊維、金属細線、あるいは金属などの導電物をめっきした樹脂繊維などである。
【００３３】
また、導電性接着剤は、例えば導電物としての銀と、バインダとしてのシリコンを主成分とし、約１８０℃で硬化するものであり、硬化後の体積抵抗率は２．５×１０−６Ω・ｃｍである。なお、導電物は導電性を有するものであれば銀以外でも良い。例えば金、銅などである。また、バインダは熱硬化性を有するものあればシリコン以外でも良い。例えばエポキシ樹脂、ウレタン樹脂、アクリル樹脂などである。
【００３４】
上記構成において、トンネル本線１内は車の走行により発生する粉塵による汚染を防止するため、換気ファン５を運転し、換気吸込口２から粉塵を含んだ汚染空気を吸込み、換気風路４内で電気集塵装置３により集塵し、換気吐出口６から粉塵を除去した空気をトン
ネル本線１外に排出する。
【００３５】
電気集塵装置３は、集塵ユニット１１の帯電部１２で換気吸込口２から吸込んだ汚染空気中の粉塵を帯電させ、集塵部１３の集塵部接地極板１６と集塵部荷電極板１７に付着させ、汚染空気中から粉塵を除去する。
【００３６】
本実施形態の特徴は、帯電部高圧電源１８を用いるが、コロナ放電を発生させず、もしくは微小なコロナ放電で、グラディエント力と誘導帯電により粉塵を付着、帯電させることにあり、この作用を図７〜８を用いて説明する。
【００３７】
図７は図６のＡ部拡大図であり、図７に示すように、帯電部高圧電源１８により帯電部荷電極板１５に負の高電圧をかけることにより、帯電部接地極板１４から帯電部荷電極板１５に向かう電気力線が作用する。この電気力線は、帯電部荷電極板１５および帯電部接地極板１４上の導電性繊維部２０が密になるように湾曲し、不平等電界を形成している。そして、帯電部荷電極板の風上の極板端部２１にも電気力線が密になるように湾曲し、より強い不平等電界を形成している。
【００３８】
ここで、グラディエント力とは、誘電体が不平等電界中で、より強電界の方向に移動するように受ける力を指し、図７において電気力線が密になっている帯電部荷電極板の風上の極板端部２１および帯電部接地極板１４上の導電性繊維部２０に向けて作用する。
【００３９】
次に不平等電界中に飛来した粉塵の挙動について、図８を用いて説明する。
【００４０】
図８に示すように、帯電部１２に飛来した粉塵は、グラディエント力により、電気力線が最も密な帯電部荷電極板の風上の極板端部２１に引き寄せられ、堆積する。
【００４１】
また、帯電部荷電極板の風上の極板端部２１に引き寄せられなかった粉塵、もしくは帯電部荷電極板の風上の極板端部２１に堆積し、飛散時に誘導帯電により帯電した粉塵は、帯電部接地極板１４の位置ａの導電繊維部に引き寄せられ堆積する。
【００４２】
また、帯電部接地極板１４の風上部の位置ａに引き寄せられなかった粉塵は、風上部の位置ａの不平等電界の領域を通過し、帯電部接地極板１４の位置ａより風下部の位置ｂに引き寄せられ、堆積する。また、帯電部接地極板１４の位置ｂに引き寄せられなかった粉塵は、風上部の位置ｂの不平等電界の領域を通過し、帯電部接地極板１４の位置ｂより風下部の位置ｃに引き寄せられ、堆積する。また、帯電部接地極板１４の位置ｃに引き寄せられなかった粉塵は、風上部の位置ｃの不平等電界の領域を通過し、帯電部接地極板１４の位置ｃより風下部の位置ｄに引き寄せられ、堆積する。
【００４３】
すなわち、帯電部荷電極板１５の風上端部または帯電部接地極板１４の導電性繊維部２０の各繊維の先端付近で電気力線が密の強電界となっているので、飛来した粉塵が堆積される。
【００４４】
そして堆積した粉塵は、多量に堆積すると剥離し、このとき、付着していた極板と同じ電気極性で帯電（この帯電を誘導帯電という）して再飛散する。具体的には、図８にマイナスとプラスの符号で示すように、帯電部荷電極板１５の風上の極板端部２１に堆積していた粉塵は負の極性、帯電部接地極板１４の導電性繊維部２０に堆積していた粉塵は正の極性に帯電して再飛散する。この帯電して再飛散した粒子は、集塵部１３の集塵部接地極板１６または集塵部荷電極板１７の表面に静電気力で捕集される。
【００４５】
このように、少なくとも片面に導電性繊維部２０を有する帯電部接地極板１４および帯
電部荷電極板１５を交互に平行に配置し、帯電部荷電極板１５の風上端部が、隣接する帯電部接地極板１４の風上端部よりも風下側にずれ、かつ帯電部接地極板１４の風下端部よりも風上側に位置することで、より多くの粉塵を誘導帯電により帯電させることができる。
【００４６】
すなわち、図６で説明したように、本実施の形態の電気集塵装置３は、向かい合う帯電部接地極板１４、帯電部荷電極板１５の少なくとも片面に導電性繊維部２０を設けている。さらに、帯電部荷電極板１５の風上端部が、隣接する帯電部接地極板１４の風上端部よりも風下側にずれ、かつ帯電部接地極板１４の風下端部よりも風上側に位置している。
【００４７】
このような構成により、帯電部荷電極板１５の風上の極板端部２１、および導電性繊維部２０で電気力線が湾曲し密になり、不平等電界の領域を多数形成することができる。電気力線が密になった領域は、疎の領域よりも強い電界となっている。そして、グラディエント力は、より強電界の方向に働く。従って、このグラディエント力により帯電部荷電極板１５の風上の極板端部２１、または帯電部接地極板１４の導電性繊維部２０に粉塵が引き寄せられ、堆積する。そして、多量に堆積した粉塵は、再飛散する。このとき、誘導帯電により堆積していた帯電部接地極板１４または帯電部荷電極板１５と同じ極性に帯電して飛散する。
【００４８】
この飛散した帯電粉塵は、帯電部１２の下流側に設けた集塵部１３の異なる極性の集塵部接地極板１６または集塵部荷電極板１７で集塵することができる。そして、結果として、帯電部接地極板１４、帯電部荷電極板１５間に高電圧をかけるだけでコロナ放電を発生させずに、もしくは微小なコロナ放電で粉塵を帯電し、集塵することができる。従って、帯電部１２の小型化、および消費電力に伴う電気代が少なくできるという効果を得ることができる。
【００４９】
本実施形態では、集塵部１３は図６に示すように平行平板内に発生する静電気力を利用しており、これは物理接触によるフィルタ式よりも圧力損失が少なく粉塵の捕集率も高い。また、フィルタに高電圧を印加する静電フィルタ式よりも強電界を得られるため、圧力損失が小さく、かつ粉塵の捕集率が高いという効果がある。
（第１変形例）
次に図９を用いて同電気集塵装置の第１変形例を説明する。
【００５０】
図９に示すように、集塵ユニット１１は、帯電部１２、集塵部１３、帯電部荷電極板１５を荷電する帯電部高圧電源１８、集塵部荷電極板１７を荷電する集塵部高圧電源１９で構成される。帯電部１２は、接地極板としての帯電部接地極板１４と荷電極板としての帯電部荷電極板１５を平行に配置したものである。集塵部１３は、集塵部接地極板１６と集塵部荷電極板１７を平行に配置したものである。風上側に帯電部１２、風下側に集塵部１３が配置されている。
【００５１】
第１変形例において、実施の形態１と同様、帯電部１２は、帯電部接地極板１４の片面および帯電部荷電極板１５の片面に導電性繊維部２０を備えている。この導電性繊維部２０は、帯電部接地極板１４と帯電部荷電極板１５との各極板間に配置される。
【００５２】
第１変形例の特徴として、帯電部接地極板１４の風上端部が、隣接する帯電部荷電極板１５の風上端部よりも風下側にずれ、かつ帯電部荷電極板１５の風下端部よりも風上側に位置している。
【００５３】
このように、第１変形例の電気集塵装置３は、帯電部接地極板１４および帯電部荷電極板１５を交互に平行に配置し、向かい合う両極板面のすくなくとも一方に導電性繊維部２
０を有している。そして、帯電部接地極板１４の風上端部が、隣接する帯電部荷電極板１５の風上端部よりも風下側にずれ、かつ帯電部荷電極板１５の風下端部よりも風上側に位置している。このような構成により、図７における説明と同様に、帯電部接地極板１４の風上端部、および導電性繊維部２０で電気力線が湾曲し密になり、不平等電界の領域を多数形成することができる。
【００５４】
そして、図８における説明と同様に、より強電界の方向に働くグラディエント力により帯電部接地極板１４の風上の極板端部２１、または帯電部荷電極板１５の導電性繊維部２０に粉塵が引き寄せられ、堆積する。そして、多量に堆積した粉塵は、再飛散する。このとき、誘導帯電により堆積していた帯電部接地極板１４または帯電部荷電極板１５と同じ極性に帯電して飛散する。
【００５５】
この飛散した帯電粉塵を集塵部１３の異なる極性の集塵部接地極板１６または集塵部荷電極板１７で集塵することができる。そして、結果として、帯電部接地極板１４、帯電部荷電極板１５間に高電圧をかけるだけでコロナ放電を発生させずに、もしくは微小なコロナ放電で粉塵を帯電し、集塵することができる。従って、帯電部１２の小型化、および消費電力に伴う電気代が少なくできるという効果を得ることができる。
（第２変形例）
次に第２変形例の特徴として、帯電部荷電極板１５の風下端部は、隣接する帯電部接地極板１４の風下端部よりも風下側または風上側にずれており、上記以外の構成は図６で説明した集じんユニットと同様である。
【００５６】
また、図１０を用いて帯電部荷電極板１５の風下端部が隣接する帯電部接地極板１４の風下端部よりも風下側にずれた場合を説明するが、風上側にずれた場合でも同様である。
【００５７】
第２変形例の電気集塵装置３は、図１０のように、帯電部接地極板１４および帯電部荷電極板１５を交互に平行に配置し、向かい合う両極板面のすくなくとも一方に導電性繊維部２０を有している。そして、帯電部荷電極板１５の風下端部が、隣接する帯電部接地極板１４の風下端部よりも風下側にずれて位置している。このような構成により、図７における説明と同様に、帯電部接地極板１４の風下端部、および導電性繊維部２０で電気力線が湾曲し密になり、不平等電界の領域を多数形成することができる。
【００５８】
そして、図８における説明と同様に、より強電界の方向に働くグラディエント力により帯電部接地極板１４の風下端部、または帯電部荷電極板１５の導電性繊維部２０に粉塵が引き寄せられ、堆積する。そして、多量に堆積した粉塵は、再飛散する。このとき、誘導帯電により堆積していた帯電部接地極板１４または帯電部荷電極板１５と同じ極性に帯電して飛散する。
【００５９】
この飛散した帯電粉塵を集塵部１３の異なる極性の集塵部接地極板１６または集塵部荷電極板１７で集塵することができる。そして、結果として、帯電部接地極板１４、帯電部荷電極板１５間に高電圧をかけるだけでコロナ放電を発生させずに、もしくは微小なコロナ放電で粉塵を帯電し、集塵することができる。従って、帯電部１２の小型化、および消費電力に伴う電気代が少なくできるという効果を得ることができる。
（第３変形例）
次に第３変形例の特徴として、帯電部接地極板１４の風下端部は、隣接する帯電部荷電極板１５の風下端部よりも風下側または風上側にずれており、上記以外の構成は図６で説明した集じんユニットと同様である。
【００６０】
また、図１１を用いて帯電部接地極板１４の風下端部が隣接する帯電部荷電極板１５の風下端部よりも風下側にずれた場合を説明するが、風上側にずれた場合でも同様である。
【００６１】
第３変形例の電気集塵装置３は、図１１のように、帯電部接地極板１４および帯電部荷電極板１５を交互に平行に配置し、向かい合う両極板面のすくなくとも一方に導電性繊維部２０を有している。そして、帯電部接地極板１４の風下端部が、隣接する帯電部荷電極板１５の風下端部よりも風下側にずれて位置している。このような構成により、図７における説明と同様に、帯電部荷電極板１５の風下端部、および導電性繊維部２０で電気力線が湾曲し密になり、不平等電界の領域を多数形成することができる。
【００６２】
そして、図８における説明と同様に、より強電界の方向に働くグラディエント力により帯電部荷電極板１５の風下端部、または帯電部接地極板１４の導電性繊維部２０に粉塵が引き寄せられ、堆積する。そして、多量に堆積した粉塵は、再飛散する。このとき、誘導帯電により、堆積していた帯電部接地極板１４または帯電部荷電極板１５と同じ極性に帯電して飛散する。
【００６３】
この飛散した帯電粉塵を集塵部１３の異なる極性の集塵部接地極板１６または集塵部荷電極板１７で集塵することができる。そして、結果として、帯電部接地極板１４、帯電部荷電極板１５間に高電圧をかけるだけでコロナ放電を発生させずに、もしくは微小なコロナ放電で粉塵を帯電し、集塵することができる。従って、帯電部１２の小型化、および消費電力に伴う電気代が少なくできるという効果を得ることができる。
【００６４】
次に、帯電部１２および集塵部１３の組立て方について、図１２、１３を用いて説明する。
【００６５】
以上の実施の形態、変形例で説明した帯電部１２は、図１２に示すように、複数の帯電部接地極板１４と帯電部荷電極板１５が極板間隔保持管２２により一定間隔で配置されている。また各極板は複数の極板保持棒２３が貫通し、両端の帯電部フレーム２５の間に平行に支持固定されている。また、帯電部フレーム２５には碍子２４が設けられており、帯電部荷電極板１５を含む電圧印加部品を支持し、かつ帯電部接地極板１４を含む接地部品から電気絶縁している。
【００６６】
集塵部１３は、図６でも示したように、帯電部接地極板１４、帯電部荷電極板１５の枚数とそれぞれおおよそ同じ枚数の集塵部接地極板１６と集塵部荷電極板１７を平行に配置している。また、集塵部１３は図１３に示すように、帯電部１２と同様に両端の集塵部フレーム２６の間に、複数の集塵部接地極板１６と集塵部荷電極板１７が極板間隔保持管２２により一定間隔で配置され、各極板に４本ずつの極板保持棒２３を用いて平行に支持固定している。
【００６７】
なお、本実施形態では、帯電部１２と集塵部１３を設けたが、集塵部１３を設けず、帯電部１２だけの構成でもよい。
【００６８】
また、高い集塵効率が必要な場合には、帯電部荷電極板１５、及び帯電部接地極板１４のそれぞれ対向位置に鋭利な突起を設け、補助的にコロナ放電を用いて流入する粉塵の帯電を促進させる構成でもよい。
【００６９】
なお、本実施の形態では、帯電部１２と集塵部１３の接地極板および荷電極板は平板状の極板を用いたが、繊維状または棒状の極板を用いてもよい。
【産業上の利用可能性】
【００７０】
本発明に係る電気集塵装置は、コロナ放電を発生させず、もしくは微小なコロナ放電を発生させることで、グラディエント力により前記荷電極板または前記接地極板の風上端部
、および前記荷電極板と前記接地極板の導電性繊維部に粉塵を堆積させ、堆積した粉塵が飛散時に堆積していた前記荷電極板または前記接地極板と同じ極性に誘導帯電により帯電し、この飛散した帯電粉塵を集塵部の異なる極性の前記接地極板または前記荷電極板で集塵することが可能となり、帯電部での電力発生を低減し、省電力化が可能となるので、広い範囲で有用である。
【符号の説明】
【００７１】
１  トンネル本線
２  換気吸込口
３  電気集塵装置
４  換気風路
５  換気ファン
６  換気吐出口
７  電気集塵補機
８  高圧発生盤
９  制御盤
１０  ケーシング
１１  集塵ユニット
１２  帯電部
１３  集塵部
１４  帯電部接地極板
１５  帯電部荷電極板
１６  集塵部接地極板
１７  集塵部荷電極板
１８  帯電部高圧電源
１９  集塵部高圧電源
２０  導電性繊維部
２１  極板端部
２２  極板間隔保持管
２３  極板保持棒
２４  碍子
２５  帯電部フレーム
２６  集塵部フレーム
３１  ダンパ
３２  洗浄配管
３３  配線端子箱
【図１】
2018051507.tif 000003
【図２】
2018051507.tif 000004
【図３】
2018051507.tif 000005
【図４】
2018051507.tif 000006
【図５】
2018051507.tif 000007
【図６】
2018051507.tif 000008
【図７】
2018051507.tif 000009
【図８】
2018051507.tif 000010
【図９】
2018051507.tif 000011
【図１０】
2018051507.tif 000012
【図１１】
2018051507.tif 000013
【図１２】
2018051507.tif 000014
【図１３】
2018051507.tif 000015
【図１４】
2018051507.tif 000016
【図１５】
2018051507.tif 000017